(57)【特許請求の範囲】
【請求項１】
開閉式の箱体と、
前記箱体から独立して設けた取手とを備え、
前記箱体は、
閉じた状態で底板と蓋板とが対向し、
前記底板と一体で前記取手が取り付けられる取手用側板と、
前記蓋板と一体で前記取手に係合する係合片を設けた係合片付き側板とを備え、
前記係合片付き側板の一部と前記蓋板の一部とが切り欠かれて切り欠き穴が形成されており、前記切り欠き穴の内側に前記係合片が形成されており、
前記取手は、持手片と持ち運び用の開口とが形成されており、
前記箱体が開いた状態において、前記取手用側板に取り付けられた前記取手の前記持手片を前記取手用側板に重なるように倒し、前記取手用側板に前記係合片付き側板を覆い被せたときに、前記持手片の上側に前記係合片の先端側が重なり合い、
前記重なり合った状態から、前記係合片を前記開口に差し入れることにより、前記箱体を閉じるようにしたことを特徴とする取手付き収納箱。
【請求項２】
前記箱体が閉じた状態において、前記持手片を前記係合片側に倒したときに、前記係合片の先端側に上側から前記持手片が重なり合う請求項１に記載の取手付き収納箱。
【請求項３】
前記係合片は、折り曲げ可能に形成されており、前記箱体を閉じた状態において、前記係合片は折り曲げられて２枚の板状部材が重なり合った状態になり、先端が折り曲げ部となる請求項１又は２に記載の取手付き収納箱。
【発明の詳細な説明】
【技術分野】
【０００１】
本発明は、洋服等を収納し、携帯用の取手を有する取手付き収納箱に関する。
【背景技術】
【０００２】
従来より、段ボール等の紙で形成した携帯用の収納箱に物品を収納し、これを持ち運ぶことが行われている。例えば、学生服を収納箱に収納した状態で流通過程に乗せ、購入者は収納箱ごと携帯して持ち帰ることが行われている。この場合、収納箱に取手があれば、携帯に便利であり、携帯用の収納箱は取手を備えたものが多い。
【０００３】
例えば、特許文献１に記載の組立式手提箱は、箱体に手提が組み合わされたものであり、箱体とは別に予め組み立てておいた手提を箱体に嵌合させたものである。同文献には、箱体と手提との組み合わせは、手提を箱体の条構に貫通して抜孔に舌片を左右交互に嵌合係止するだけでよく、極めて迅速容易に手提を確実に直立させることができることが記載されている。
【先行技術文献】
【特許文献】
【０００４】
【特許文献１】実公昭３８−１７１８６号公報
【発明の概要】
【発明が解決しようとする課題】
【０００５】
しかしながら、特許文献１に記載の組立式手提箱は、手提を箱体に嵌合させる際に、２度に亘り手提を細いスリット状の上の条構に貫通させる必要があり、この際箱体の側板を湾曲させる必要があり、作業に手間が掛かる上、箱体は側板の湾曲代が確保できるだけの寸法が確保されている必要があり、箱体側に構造上の制約があった。
【０００６】
また、特許文献１に記載の組立式手提箱は、手提の箱体への嵌合構造は、手提を直立させることを前提とした構造であり、この構造では手提を有する側板へ箱体を積み重ねることができず、多数の組立式手提箱を取り扱う場合に、保管や運搬には不利であった。
【０００７】
本発明は前記のような従来の問題を解決するものであり、組立てや取扱いが容易であり、かつ保管や運搬に有利な取手付き収納箱を提供することを目的とする。
【課題を解決するための手段】
【０００８】
前記目的を達成するために、本発明の取手付き収納箱は、開閉式の箱体と、前記箱体から独立して設けた取手とを備え、前記箱体は、閉じた状態で底板と蓋板とが対向し、前記底板と一体で前記取手が取り付けられる取手用側板と、前記蓋板と一体で前記取手に係合する係合片を設けた係合片付き側板とを備え、前記係合片付き側板の一部と前記蓋板の一部とが切り欠かれて切り欠き穴が形成されており、前記切り欠き穴の内側に前記係合片が形成されており、前記取手は、持手片と持ち運び用の開口とが形成されており、前記箱体が開いた状態において、前記取手用側板に取り付けられた前記取手の前記持手片を前記取手用側板に重なるように倒し、前記取手用側板に前記係合片付き側板を覆い被せたときに、前記持手片の上側に前記係合片の先端側が重なり合い、前記重なり合った状態から、前記係合片を前記開口に差し入れることにより、前記箱体を閉じるようにしたことを特徴とする。
【０００９】
前記本発明の取手付き収納箱によれば、箱体を閉じる際には、力の印加対象は係合片及び持手片に留まり、係合片付き側板全体を湾曲させるような力の印加は不要である。このことは箱体を開く際も同様であり、箱体は容易に開閉でき、係合片付き側板に湾曲を容易にする等の構造上の制約が加わることもない。また、取手の開口は、持ち運び用の開口であるので、開口面積が大きく、開口内に係合片が入り込んだ状態においても、十分な開口面積が残されている。すなわち、開口と係合片との係合状態において、持手片の動きが特別に制限されることはなく、持手片を容易に倒すことができる。この構造では取手を有する側板へ他の収納箱を積み重ねることができ、保管や運搬に有利になる。
【００１０】
前記本発明の取手付き収納箱においては、前記箱体が閉じた状態において、前記持手片を前記係合片側に倒したときに、前記係合片の先端側に上側から前記持手片が重なり合うことが好ましい。この構成によれば、箱体を開く際に、持手片を係合片側に倒したときに、係合片の上側に持手片が重なることになり、箱体を開くには、持手片を後方に引くように意識的に力を加える必要がある。すなわち、単に持手片が倒れた程度では、箱体が開くことはなく、複雑な構造にすることなく、箱体が不意に開くことを防止することができる。
【００１１】
また、前記係合片は、折り曲げ可能に形成されており、前記箱体を閉じた状態において、前記係合片は折り曲げられて２枚の板状部材が重なり合った状態になり、先端が折り曲げ部となることが好ましい。この構成によれば、係合片の先端が折り曲げ部となり、丸味を帯びるので、持ち運び等で係合片の先端に手が触れた際の痛みや怪我を防止することができる。
【発明の効果】
【００１２】
本発明の効果は前記のとおりであり、箱体を閉じる際には、力の印加対象は係合片及び持手片に留まり、係合片付き側板全体を湾曲させるような力の印加は不要である。このことは箱体を開く際も同様であり、箱体は容易に開閉でき、係合片付き側板に湾曲を容易にする等の構造上の制約が加わることもない。また、取手の開口は、持ち運び用の開口であるので、開口面積が大きく、開口内に係合片が入り込んだ状態においても、十分な開口面積が残されている。すなわち、開口と係合片との係合状態において、持手片の動きが特別に制限されることはなく、持手片を容易に倒すことができる。この構造では取手を有する側板へ他の収納箱を積み重ねることができ、保管や運搬に有利になる。
【図面の簡単な説明】
【００１３】
【図１】本発明の一実施形態に係る取手付き収納箱の外観斜視図。
【図２】図１に示した取手付き収納箱を開いた状態を示す斜視図。
【図３】本発明の一実施形態に係る取手付き収納箱の組立て途中を示す斜視図。
【図４】図３の蓋板側の拡大図。
【図５】本発明の一実施形態において、係合片付き側板を折り曲げている途中の状態を示す斜視図。
【図６】本発明の一実施形態において、係合片付き側板の折り曲げ完了状態を示す斜視図。
【図７】本発明の一実施形態に係る取手の展開状態を示す平面図。
【図８】本発明の一実施形態に係る取手の組み立て状態を示す斜視図。
【図９】本発明の一実施形態において、持手片を取手用側板に取り付ける直前の状態を示す斜視図。
【図１０】本発明の一実施形態において、取手用側板に取手を取り付けた状態を示す斜視図。
【図１１】本発明の一実施形態において、箱体を閉じる直前の状態を示す斜視図。
【図１２】本発明の一実施形態において、取手用側板の上側に係合片付き側板が覆い被さった状態を示す斜視図。
【図１３】本発明の一実施形態において、倒した持手片が復元して起立した状態を示す斜視図。
【発明を実施するための形態】
【００１４】
以下、本発明の一実施形態について、図面を参照しながら説明する。図１は本発明の一実施形態に係る取手付き収納箱１の外観斜視図である。取手付き収納箱１（以下単に「収納箱１」という。）は、段ボール、板紙等の紙材で形成した紙器であり、箱体２に取手３０が取り付けられたものである。箱体２及び取手３０はいずれも、トムソン打ち抜き機で打ち抜きかつ罫線を入れた板状の紙材を折り曲げて形成したものである。収納箱１の収納物に特に限定はなく、例えば学生服を収納して販売すれば、購入者は収納箱１ごと携帯して持ち帰ることができる。
【００１５】
図２は、図１に示した収納箱１を開いた状態を示す斜視図である。箱体２は底板３と蓋板４とが一体になっている。底板３の周囲４辺は底板３と一体の側板５〜８で囲まれており、蓋板４の周囲３辺は、蓋板４と一体の側板９〜１１で囲まれている。以下、説明の便宜のため、側板８を取手用側板８といい、側板１１を係合片付き側板１１という。
【００１６】
以下、収納箱１の組立て手順について説明する。図３は収納箱１の組立て途中を示す斜視図である。図３の状態では、ある程度組み立てが進んでおり、底板３の周囲には、側板５〜７及び取手用側板８が立設している。側板５は折り返されて２重になっており、側板７は折り返される前の状態を示している。側板７の端部には止め片１２が形成されており、側板７を折り曲げて、止め片１２を底板３に設けたスリット１３に差し込むことにより、側板７は側板６と一体のフラップ１４と取手用側板８と一体のフラップ１５とを挟み込んだ二重構造となる。この二重構造は側板５についても同様である。
【００１７】
図４は、図３の蓋板４側の拡大図である。側板９には側板９と一体のフラップ１６が一体になっており、側板１０には側板１０と一体のフラップ１７が一体になっている。係合片付き側板１１の一部と蓋板４の一部とが切り欠かれて切り欠き穴２１が形成されており、切り欠き穴２１の内側に係合片２０が形成されている。詳細は後に説明するが、係合片２０は取手３０の開口３４（図１３参照）と係合するものである。
【００１８】
図５は、係合片付き側板１１を折り曲げている途中の状態を示す斜視図である。本図では、側板９及び側板１０が垂直に立設し、フラップ１６が側板９に対して直角に折れ曲がり、フラップ１７が側板１０に対して直角に折れ曲がっている。この状態で係合片付き側板１１を折り曲げて、止め片１８を蓋板４に設けたスリット１９に差し込む。図６は係合片付き側板１１の折り曲げ完了状態を示している。本図の状態では、蓋板４側の組み立ては完了しており、蓋板４の３辺に、側板９、側板１０及び係合片付き側板１１が垂直に立設している。
【００１９】
図７は取手３０の展開状態を示す平面図であり、図８は取手３０の組み立て状態を示す斜視図である。取手３０は箱体２から独立して設けた部品であるが、箱体２と同様に、トムソン打ち抜き機で打ち抜きかつ罫線を入れた板状の紙材を折り曲げて形成することができる。このことにより、本実施形態に係る収納箱１は、全てを段ボール等の紙材で作成することができ、樹脂材料等との分別は不要になり、リサイクルが容易になる。
【００２０】
図７において、取手３０は上下対象であり、基片３１、突片３２及び持手片３３が一体になっており、持手片３３の側には開口３４が形成されている。図８に示した取手３０の組み立て状態においては、図７の破線で示した罫線の位置で折り曲げられており、持手片３３同士、突片３２同士が重なり合っており、基片３１上に、持手片３３が垂直に立設している。開口３４は手提げ用の開口であるが、詳細は後に説明する通り、蓋板４側の係合片２０が差し込まれる開口でもある（図１３参照）。
【００２１】
図９は、持手片３３を取手用側板８に取り付ける直前の状態を示す斜視図である。本図は、底板３近傍の拡大図であり、図２〜６の状態から１８０度回転させた状態を示している。図９において、取手３０は持手片３３が、取手用側板８に設けたスリット２２側に向いている。この状態から取手３０をスリット２２に向けて移動させ、持手片３３をスリット２２に差し込んで取手用側板８に取手３０を取り付ける。
【００２２】
図１０は、取手用側板８に取手３０を取り付けた状態を示している。図８において、重なった持手片３３同士を接着等で固定していなければ、持手片３３同士は少し離れる程度に復元力が作用する（矢印ａ）。このため、スリット２２の幅を持手片３３の２枚分程度の幅にしておけば、取手３０を取手用側板８に接着剤等で固定しなくても、図１０のように、取手３０を垂直にしても取手３０が落下することはない。
【００２３】
以下、図１１〜図１３を参照しながら、箱体２を閉じる手順について説明する。図１１は、箱体２を閉じる直前の状態を示した斜視図である。本図の状態では、持手片３３を取手用側板８に重なるように倒している。この状態で係合片付き側板１１を蓋板４と一体に取手用側板８側に向けて移動させる（矢印ｃ方向）。この移動が進むと、取手用側板８の上側に係合片付き側板１１が覆い被さることになる。
【００２４】
図１２は、取手用側板８（図１１）の上側に係合片付き側板１１が覆い被さった状態の斜視図である。本図の状態では、持手片３３に係合片２０の先端側が乗り上げており、持手片３３の上側に係合片２０の先端側が重なり合っている。この状態から、係合片２０を開口３４に差し入れることにより箱体２を閉じる。具体的には、係合片２０を押し下げ（矢印ｄ）、持手片３３を外側に引っ張れば（矢印ｅ）、持手片３３の上側にあった係合片２０の先端が、開口３４内に入り込む。この状態では、持手片３３は係合片２０による移動規制が解除されているため、元の状態に復元して起立する。
【００２５】
図１３は、倒した持手片３３が復元して起立した状態を示した斜視図である。本図の状態は、箱体２が閉じた状態であり、図１に示した収納箱１の完成状態と同じ状態である。図１３の状態は、収納箱１がロックされた状態でもある。係合片付き側板１１に形成された切り欠き穴２１の端部に持手片３３が立設しているため、係合片付き側板１１の箱体２が開く方向（矢印ｆ）への移動は規制される。また、持手片３３に下向に力が作用しても（矢印ｇ）、下方への移動は、係合片２０で規制されるので、持手片３３が箱体２内に落下することもない。
【００２６】
箱体２を開く手順は、箱体２を閉じる手順と逆であり、図１３の状態から持手片３３を係合片２０側に倒せば、係合片２０の先端側に上側から持手片３３が重なるので、持手片３３を後方に引くように力を加えれば、係合片２０の先端が持手片３３を乗り越え、図１２の状態になる。この状態では蓋板４の移動は規制されていないので、図１１のように蓋板４を開くことができる。
【００２７】
以上、箱体２の開閉手順について説明したが、箱体２を閉じる際には、図１２を用いて説明した通り、係合片２０を押し下げ（矢印ｄ）、かつ持手片３３を外側に引っ張る力（矢印ｅ）を加える作業が必要になる。しかし、力の印加対象は係合片２０及び持手片３３に留まり、係合片付き側板１１全体を湾曲させるような力の印加は不要である。このことは箱体２を開く際も同様であり、箱体２は容易に開閉でき、係合片付き側板１１に湾曲を容易にする等の構造上の制約が加わることもない。
【００２８】
また、取手３０の開口３４は、持ち運び用の開口であるので、開口面積が大きく、図１３のように、開口３４内に係合片２０が入り込んだ状態においても、十分な開口面積が残されている。すなわち、開口３４と係合片２０との係合状態において、持手片３３の動きが特別に制限されることはなく、持手片３３を容易に係合片付き側板１１側に倒すことができる。この構造では取手３０を有する側板へ他の収納箱１を積み重ねることができ、保管や運搬に有利になる。
【００２９】
さらに、箱体２を開く際に、図１３の状態から持手片３３を係合片２０側に倒したときに、前記の通り係合片２０の先端側に上側から持手片３３が重なることになり、箱体２を開くには、持手片３３を後方に引くように意識的に力を加える必要がある。この構成によれば、単に持手片３３が倒れた程度では、箱体２が開くことはなく、複雑な構造にすることなく、箱体２が不意に開くことを防止することができる。
【００３０】
以下、係合片２０についてより具体的に説明する。図４において係合片２０は折り曲げ可能に形成されており、図１１に示したように、箱体２を閉じる際には係合片２０は折り曲げられている。図１３のように、箱体２を閉じた状態では係合片２０は折り曲げられて２枚の板状部材が重なり合った状態になり、先端が折り曲げ部となっている。この構成によれば、係合片２０の先端が折り曲げ部となり、丸味を帯びるので、持ち運び等で係合片２０の先端に手が触れた際の痛みや怪我を防止することができる。係合片２０の折り曲げ構造は任意であり、別途端面処理等を施すことにより省いてもよい。
【符号の説明】
【００３１】
１  取手付き収納箱
２  箱体
３  底板
４  蓋板
８  取手用側板
１１  係合片付き側板
２０  係合片
２１  切り欠き穴
３０  取手
３３  持手片
３４  開口
【要約】
【課題】組立てや取扱いが容易であり、かつ保管や運搬に有利な取手付き収納箱を提供する。
【解決手段】開閉式の箱体２と、箱体２から独立して設けた取手３０とを備え、箱体２は、閉じた状態で底板と蓋板４とが対向し、底板と一体で取手３０が取り付けられる取手用側板８と、蓋体４と一体で取手３０に係合する係合片２０を設けた係合片付き側板１１とを備え、取手３０は、持手片３３と持ち運び用の開口３４とが形成されており、箱体２が開いた状態において、取手用側板８に取り付けられた取手３０の持手片３３を取手用側板８に重なるように倒し、取手用側板８に係合片付き側板１１を覆い被せたときに、持手片３３の上側に係合片２０の先端側が重なり合い、重なり合った状態から、係合片２０を開口３４に差し入れることにより、箱体２を閉じるようにしている。
【選択図】図１１【図１】
0006762052.tif 000002
【図２】
0006762052.tif 000003
【図３】
0006762052.tif 000004
【図４】
0006762052.tif 000005
【図５】
0006762052.tif 000006
【図６】
0006762052.tif 000007
【図７】
0006762052.tif 000008
【図８】
0006762052.tif 000009
【図９】
0006762052.tif 000010
【図１０】
0006762052.tif 000011
【図１１】
0006762052.tif 000012
【図１２】
0006762052.tif 000013
【図１３】
0006762052.tif 000014